(57)【特許請求の範囲】
【請求項１】
温水洗浄便座において、
人体局部を洗浄するノズルと、
便器内に発生した臭気を吸引し無臭化したのち脱臭装置排気口より前記温水洗浄便座の外部に排出する脱臭装置と、を備え、
前記脱臭装置は、
前記温水洗浄便座内部の湿度を帯びた空気を吸引する空気吸引口を、便器内の前記臭気を吸引する吸引口とは別に前記温水洗浄便座の内部に備えており、
前記空気吸引口から吸引した前記湿気を帯びた空気を、前記脱臭装置排気口より強制的に前記温水洗浄便座の外部に排出することを特徴とする温水洗浄便座。
【請求項２】
請求項１記載の温水洗浄便座において、
前記空気吸引口により吸引した前記湿度を帯びた空気の排出を前記温水洗浄便座の略後方に行なうことを特徴とする温水洗浄便座。
【請求項３】
請求項１記載の温水洗浄便座において、
前記空気吸引口により吸引した前記湿度を帯びた空気の排出を前記温水洗浄便座の略側方に行なうことを特徴とする温水洗浄便座。
【請求項４】
請求項１記載の温水洗浄便座において、
前記空気吸引口により吸引した前記湿度を帯びた空気の排出を前記温水洗浄便座の略前方に行なうことを特徴とする温水洗浄便座。
【発明の詳細な説明】
【０００１】
【発明の属する技術分野】
本発明は、温水洗浄便座に係り、特に前記温水洗浄便座の内部に発生する結露を防止することに好適な湿度を帯びた空気と臭気を吸引する脱臭装置に関する。
【０００２】
【従来の技術】
図１０は、従来例を示した図である。
温水洗浄便座２００には局部洗浄に使用する上水を給水する給水部２０２があり、給水された上水は熱交換器（図示無し）で局部を洗浄するのに適した温度まで温度を上昇され、局部洗浄用ノズル２０５の先端から噴出させる。また、脱臭装置８１は、使用者が着座している時に動作し、矢印２０４で示される方向に便器内に発生した臭気を吸引する。吸引された臭気は脱臭用触媒（図示無し）により無臭の物質に分解した後、前記温水洗浄便座の外部に排出される。
【０００３】
図８は、従来の脱臭装置８１の動作を示す斜視透視図である。
脱臭装置８１は、主に臭気を分解する脱臭用触媒装置２１と、臭気を吸引するための脱臭用ファンモータ２４と、臭気を吸引する脱臭装置吸引口２３とから構成されている。便器内で発生した臭気は、脱臭装置吸引口２３から脱臭装置に矢印２６の方向に吸引される。吸引された臭気は脱臭用フィルター２７によりほこり等を取り除いた後、脱臭用ファンモータ２４によって脱臭用触媒装置２１に送られる。前記脱臭用触媒装置で臭気を無臭な物質に分解して、矢印２２に示される前記温水洗浄装置の略後方に向けて排気される。
【０００４】
図９は、従来の技術を模式的に表した図である。
脱臭装置４０は、主に臭気を分解する脱臭用触媒装置３９と、臭気を吸引するための脱臭用ファンモータ４４と臭気を吸引する脱臭装置吸引口４１から構成されている。便器内で発生した臭気は脱臭装置吸引口４１から矢印４２の方向に吸引される。
吸引された臭気は脱臭用フィルター４５によりほこり等が取り除かれた後、脱臭用ファンモータ４４によって脱臭用触媒装置３９に送られる。前記脱臭用触媒装置で臭気を無臭な物質に分解した後、前記温水洗浄便座１に設けられた脱臭装置排気口３８から、矢印３７に示される前記温水洗浄装置の略後方に向けて排気される。
また、局部洗浄用ノズル（洗浄時の伸出位置）３６の周囲には局部洗浄用ノズルと温水洗浄便座外郭との隙間３５、４３が存在する。温水洗浄便座には、この隙間（空隙）が構造上の理由で必要である。一例として挙げると、ノズルの伸出・収納の部分には前記ノズルが出入りする為の開口が設けてあり、ノズルが伸出状態であるときはもとより収納状態であっても一定の空隙がノズルの周囲に存在する。
【０００５】
前記隙間３５、４３は、局部洗浄用ノズル（収納直前位置）３３で示される位置に前記ノズルが収納された状態であっても存在するので、便器内で発生した湿度を帯びた空気は、前記隙間から前記温水洗浄便座の内部に侵入する。進入した湿度を帯びた空気は、矢印３４で示されるように前記温水洗浄便座内に停留・滞留して、前記温水洗浄便座内に前記湿度を帯びた空気と比較して低い温度の部品が存在すると、その部品に結露し、結露水が発生する。
また、温水洗浄装置は局部洗浄中に、温水を多量に吐水する。温水を多量に吐水した場合、特に冬場など気温の低い場合には大量の湯気、つまり高湿度空気が吐水口付近から発生する場合がある。使用者の局部を洗浄している時には前記ノズルは伸出状態であり、前記ノズルの先端から吐水をおこなうことになる。その後、使用者の局部洗浄後は前記ノズルを所定位置まで収納し、収納状態にて同様に前記ノズル先端から温水を吐水して前記ノズルに付着した汚れを自動的に洗浄する。
この為、特に前記ノズルを収納状態で温水を吐水した場合には、ノズル周囲の空隙の近傍にて高湿度空気が多量に発生することとなる。特に、冬場など気温が数℃を下回る場合などは、前記ノズル収納状態で吐水した場合には大量の湿度を帯びた空気が発生し、前記ノズル周囲の空隙から前記温水洗浄便座の機構内部に高湿度空気が大量に侵入する場合がある。
【０００６】
【発明が解決しようとする課題】
前記温水洗浄便座の機構内部は周囲気温が低い場合、周囲気温と同様に低い温度状態であることが多い。この低い温度状態の機構内部に大量の湿度を帯びた空気が流入すると、低い温度状態に置かれている部品に湿度を帯びた空気が直接触れることになるので、前記湿度を帯びた空気が触れた部分に結露が発生し、結露水が生じる場合があった。
結露が発生すると内機部品の電子部品に水滴がつき故障の原因になる場合があった。
また、結露から電子部品を守る為、専用の絶縁部材、防水部材が必要となる場合もある。さらに前記結露水の発生が大量の場合は前記温水洗浄便座の外部に前記結露水が漏れだして床などを濡らしてしまう不具合があった。
【０００７】
【課題を解決するための手段およびその作用・効果】
請求項１は、温水洗浄便座において、人体局部を洗浄するノズルと、便器内に発生した臭気を吸引し無臭化したのち脱臭装置排気口より前記温水洗浄便座の外部に排出する脱臭装置と、を備え、前記脱臭装置は、前記温水洗浄便座内部の湿度を帯びた空気を吸引する空気吸引口を、便器内の前記臭気を吸引する吸引口とは別に前記温水洗浄便座の内部に備えており、前記空気吸引口から吸引した前記湿気を帯びた空気を、前記脱臭装置排気口より強制的に前記温水洗浄便座の外部に排出することを特徴とする。請求項１は前記温水洗浄便座の内部に進入した湿度を帯びた空気を、脱臭装置に設けた吸引口から吸引し、脱臭用ファンで前記機体外部に強制的に排出するので、前記温水洗浄便座内部に湿度を帯びた空気が滞留・停留することなく、機体内部の結露の発生を防ぐことができる。これにより、電子部品の結露水によるショート故障などの不具合の発生を防止することが出来る。また、前記不具合を防止する為の専用の絶縁部材、防水部材が不用となる。さらに前記結露水の発生が大量の場合は前記温水洗浄便座の外部に前記結露水が漏れだして床などを濡らしてしまう不具合を防止することができる。
【０００９】
請求項２は、請求項１に記載の温水洗浄便座において、前記空気吸引口により吸引した前記湿度を帯びた空気の排出を前記温水洗浄便座の略後方に行なうことを特徴とする。そのため、温水洗浄便座の内部に湿度を帯びた空気が停留・滞留することが無く、結露の発生を防止することが出来る。また、湿度を帯びた空気を前記温水洗浄便座の略側面に排気するために、排気された湿度を帯びた空気が低温状態の物体に触れるおそれが少なく、前記排気された湿度を帯びた空気による結露の可能性を少なくすることが出来る。
【００１０】
請求項３は、請求項１記載の温水洗浄便座において、前記空気吸引口により吸引した前記湿度を帯びた空気の排出を前記温水洗浄便座の略側方に行なうことを特徴とする。湿度を帯びた空気を前記温水洗浄便座の略側方に排気するために、排気された湿度を帯びた空気が低温状態の物体に触れるおそれが少なく、前記排気された湿度を帯びた空気による結露の可能性を少なくすることが出来る。
【００１１】
請求項４は、請求項１記載の温水洗浄便座において、前記空気吸引口により吸引した前記湿度を帯びた空気の排出を前記温水洗浄便座の略前方に行なうことを特徴とする。そのため、湿度を帯びた空気を前方に排出中する際、排出口やダクト内部に結露水が発生した場合でも、発生した前記結露水は前記便器ボール面に落下するので前記温水洗浄装置の周囲や便器周辺を濡らすことがない。
【００１４】
【発明の実施の形態】
本発明の一形態について図面を用いて説明する。図１は本発明の一実施例を示す斜視透視図である。
温水洗浄便座装置１は、人体の局部を清浄な水もしくは温水で洗浄する装置である。給水管６から入水させた水を前記装置内部の熱交換器（図示無し）で温水と成し、局部洗浄用ノズル４の先端から温水を吐水させ、暖房便座５に着座している使用者の局部を洗浄する。
局部洗浄用ノズル４は通常状態では前記温水洗浄便座装置の内部に収納されている。使用者の局部を洗浄する際には図１に示す状態に前記ノズルを進出させて、先端部に設けている局部洗浄用ノズルの吐水口９より温水を吐水して使用者の局部を洗浄する。
また、使用者の局部の洗浄後には前記局部洗浄用ノズル４は前記温水洗浄便座１に収納されると同時に、前記ノズルは収納状態で一定時間吐水を行ない、ノズルに付着した汚れを洗い落とす。
この人体局部洗浄用の吐水は通常３０〜４０℃程度の温水を毎分数百ミリリットル程度噴出するものであり、一回の洗浄時間は数十秒であるから、その洗浄水量は一回の局部洗浄につき１リットル以上に及ぶ場合がある。
【００１５】
前記局部洗浄用ノズル４の周囲にはノズルの略側面にある空隙１０が存在する。これは、前記ノズルが伸出・収納するために必要なクリアランスであり、数〜数十ミリメートル程度の隙間である。
前記温水洗浄便座１は使用者の局部を洗浄すると同時に脱臭装置２を備えている。前記脱臭装置２は使用者が前記温水洗浄便座を使用していると判断されるとき、すなわち前記暖房便座に使用者が着座していると判断される場合に自動的に便器内に発生する臭気を分解・脱臭する装置である。
前記脱臭装置２は、脱臭ファン１１を回転させ模式的に表してある矢印３の方向に周囲空気を吸引し、装置に備えられている脱臭用触媒装置２１により無臭化し、前記温水洗浄装置１の外部に模式的に矢印１２で示されているような方向すなわち前記温水洗浄便座装置１の略後方に向けて排出する動作を行なう。
【００１６】
前記温水洗浄便座１の使用されるトイレ空間（図示無し）にはいまだ暖房装置などが備えつけられている場合はあまり多くなく、特に冬場の使用時にはかなり気温が下がっている場合が多い。
このように温水洗浄便座の使用状況は季節によっては気温の低い場合があり、そのように周囲の気温が低い場合に大量の温水を局部洗浄に利用した場合、いわゆる湯気が大量に発生し、周囲に高湿度空気が放出されることになる。
前記脱臭装置２には湿度を帯びた空気の吸引口８が設けられており、前記ノズルの略側面にある空隙１０から前記温水洗浄便座１の機内に侵入した湿度を帯びた空気を、湿度を帯びた空気の吸引方向を模式的に表した矢印７で示す方向に吸引し、前記矢印３で示される臭気と同様に、前記温水洗浄便座１の略後方に排出するので、前記温水洗浄便座１の内部に湿度を帯びた空気が停留・滞留することが無い。
【００１７】
図２は本発明の１実施例を模式的に表した図である。
脱臭装置５７には温水洗浄便座１内の空気を吸引できるように局部洗浄用ノズル６２の略側面に設けられた湿度を帯びた空気吸引口５３が設けられており、局部洗浄用ノズルと温水洗浄便座外郭との隙間５２、６１から進入した湿度を帯びた空気を、湿度を帯びた空気用フィルター６３によりほこり等が取り除かれた後、前記湿度を帯びた空気吸引口５３から矢印５８で示される方向に吸引すると同時に、便器内で発生した臭気を矢印６０の方向に前記脱臭装置５７で吸引し、脱臭用フィルター６４によりほこり等を取り除き、前記脱臭用触媒で無臭化した後、脱臭装置排気口５６から矢印５５の方向、すなわち前記温水洗浄便座１の略後方に排出する。
【００１８】
図３は本発明の１実施例を模式的に表した図である。
脱臭装置７９には温水洗浄便座１内の空気を吸引できるように局部洗浄用ノズル８０の略側面に設けられた湿度を帯びた空気吸引口７３が設けられており、局部洗浄用ノズルと温水洗浄便座外郭との隙間７１、７２から進入した前記湿度を帯びた空気を、湿度を帯びた空気用フィルター８３でほこり等を取り除いた後、前記湿度を帯びた空気吸引口７３から矢印７７で示される方向に吸引すると同時に、矢印７４の方向に便器内に発生した臭気を吸引し、脱臭用フィルター８４でほこり等を取り除き、脱臭用触媒８２で無臭な物質に分解した後、前記湿度を帯びた空気と共に脱臭装置排気口７５から矢印７６の方向、すなわち前記温水洗浄便座１の略側面に排出する。
【００１９】
図４は本発明の１実施例を模式的に表した図である。
脱臭装置９５には温水洗浄便座１内の空気を吸引できるように局部洗浄用ノズル９６の略側面に設けられた湿度を帯びた空気吸引口１０２が設けられており、前記局部洗浄用ノズルと前記温水洗浄便座外郭との隙間１０１から進入した前記湿度を帯びた空気を、湿度を帯びた空気用フィルター１０４でほこり等を取り除いた後、前記湿度を帯びた空気吸引口から矢印９４で示される方向に吸引すると同時に、便器内で発生した臭気を矢印１００の方向に吸引し、脱臭用フィルター１０５でほこり等を取り除いた後、前記局部洗浄用ノズルの略後方にてダクト１０３を用いて通過させて矢印９２で示される方向に通気し、前記温水洗浄便座１の略前面に向けて矢印９３の方向に排出する。
【００２０】
図５は本発明の参考例を模式的に表した図である。脱臭装置１２６はボール面の臭気を吸引する為の洗浄用ノズル空隙と脱臭吸引口を共有した空隙１２１、１２７から湿度を帯びた空気と便器内で発生した臭気とを同時に吸引する。吸引された湿度を帯びた空気と便器内で発生した臭気とは脱臭兼、湿度を帯びた空気用フィルター１２８でほこり等を取り除き、脱臭用ファンモータ１２５で前記温水洗浄便座１の略後方に送風され、脱臭用触媒装置１２４を経由して臭気を無臭の物質に分解した後、矢印１２３の方向、すなわち前記温水洗浄便座１の略後方に排気される。
【００２１】
図６は本発明の一実施例のタイムチャートを表した図である。
使用者が温水洗浄便座１に着座した時間をｔ１で表す。通常、この時間ｔ１に脱臭装置２の動作を開始する。図６の場合は、何らかの理由で前記脱臭装置の設定が切になっている状態を想定している。使用者が局部の洗浄開始を前記温水洗浄便座に指示すると洗浄を開始する（ｔ２）。同時に、湿度を帯びた空気を吸引するために脱臭装置２も同時に動作を開始する（ｔ３）。
また、使用者が洗浄を停止（ｔ４）させると同時に前記脱臭装置の吸引動作も停止（ｔ５）する。
【００２２】
図７は本発明の一実施例のタイムチャートを表した図である。
使用者が温水洗浄便座１に着座した時間をｔ２１で表す。通常、この時間ｔ２１に脱臭装置２の動作を開始する。図６の場合と同様に、何らかの理由で前記脱臭装置の設定が切になっている状態を想定している。使用者が局部の洗浄開始を前記温水洗浄便座に指示すると洗浄を開始する（ｔ２２）。同時に、湿度を帯びた空気を吸引するために脱臭装置２も同時に動作を開始する（ｔ２３）。
また、使用者が洗浄を停止（ｔ２４）した場合、同時刻ｔ２５に前記脱臭装置を停止せず、所定時間ｔ２７経過後のｔ２６に前記脱臭装置を停止させることで洗浄動作後も便器内に滞留・停留した湿度を帯びた空気を前記温水洗浄便座１内部に留めることなく、強制的に排出する。
【００２３】
以上、本発明では脱臭装置の吸引力を利用して、前記温水洗浄便座に存在する空隙から進入した湿度を帯びた空気を局部洗浄用ノズルの略側面に設けた吸引口から強制的に吸引したのち、前記温水洗浄便座の外部に排気するので、前記温水洗浄便座内に湿度を帯びた空気が停留・滞留することがなく前記温水洗浄便座の内部に結露水が発生することが無い。
【図面の簡単な説明】
【図１】  本発明の一実施例を示す図
【図２】  本発明の一実施例を模式的に示す図
【図３】  本発明の一実施例を模式的に示す図
【図４】  本発明の一実施例を模式的に示す図
【図５】  本発明の一実施例を模式的に示す図
【図６】  本発明の一実施例の動作を示すタイムチャート
【図７】  本発明の一実施例の動作を示すタイムチャート
【図８】  従来の技術の一例を示す図
【図９】  従来の一実施例を模式的に示す図
【図１０】  従来の技術の実施例を示す図
【符号の説明】
１…本発明の技術を使用した温水洗浄便座本体
２…脱臭装置
３…矢印
４…局部洗浄用ノズル
５…暖房便座
６…給水管
７…矢印
８…湿度を帯びた空気の吸引口
９…局部洗浄用ノズルの吐水口
１０…ノズルの略側面にある空隙
１１…脱臭用ファンモータ
１２…矢印
２１…脱臭用触媒装置
２２…矢印
２３…脱臭装置吸引口
２４…脱臭用ファンモータ
２５…温水洗浄装置の基盤ケース
２６…矢印
２７…脱臭用フィルター
３０…温水洗浄装置の電源用コンセント
３１…電源用ケーブル
３２…温水洗浄便座の基盤ケース
３３…局部洗浄用ノズル（収納直前位置）
３４…矢印
３５…局部洗浄用ノズルと温水洗浄便座外郭との隙間
３６…局部洗浄用ノズル（洗浄時の伸出位置）
３７…矢印
３８…脱臭装置排気口
３９…脱臭用触媒装置
４０…従来の一実施例である脱臭装置
４１…脱臭装置吸引口
４２…矢印
４３…局部洗浄用ノズルと温水洗浄便座外郭との隙間
４４…脱臭用ファンモータ
４５…脱臭用フィルター
５１…温水洗浄便座の基盤ケース
５２…局部洗浄用ノズルと温水洗浄便座外郭との隙間
５３…湿度を帯びた空気吸引口
５５…矢印
５６…脱臭装置排気口
５７…本発明の一実施例の脱臭装置
５８…矢印
５９…脱臭装置吸引口
６０…矢印
６１…局部洗浄用ノズルと温水洗浄便座外郭との隙間
６２…局部洗浄用ノズル（洗浄時の伸出位置）
６３…湿度を帯びた空気用フィルター
６４…脱臭用フィルター
７０…温水洗浄便座の基盤ケース
７１…局部洗浄用ノズルと温水洗浄便座外郭との隙間
７２…局部洗浄用ノズルと温水洗浄便座外郭との隙間
７３…湿度を帯びた空気吸引口
７４…矢印
７５…脱臭装置排気口
７６…矢印
７７…矢印
７８…脱臭装置吸引口
７９…本発明の一実施例である脱臭装置
８０…局部洗浄用ノズル（洗浄時の伸出位置）
８１…従来技術の脱臭装置
８２…脱臭用触媒
８３…湿度を帯びた空気用フィルター
８４…脱臭用フィルター
９１…温水洗浄便座の基盤ケース
９２…矢印
９３…矢印
９４…矢印
９５…本発明の一実施例である脱臭装置
９６…局部洗浄用ノズル（洗浄時の伸出位置）
９７…脱臭用触媒
９８…脱臭用ファン
９９…脱臭装置吸引口
１００…矢印
１０１…局部洗浄用ノズルと温水洗浄便座外郭との隙間
１０２…湿度を帯びた空気吸引口
１０３…ダクト
１０４…湿度を帯びた空気用フィルター
１０５…脱臭用フィルター
１２０…温水洗浄便座の基盤ケース
１２１…局部洗浄用ノズルと温水洗浄便座外郭との隙間と脱臭用吸引口の兼用空隙
１２２…温水洗浄用ノズル（洗浄時の伸出位置）
１２３…矢印
１２４…脱臭用触媒
１２５…脱臭用ファンモータ
１２６…本発明の一実施例である脱臭装置
１２７…局部洗浄用ノズルと温水洗浄便座外郭との隙間と脱臭用吸引口の兼用空隙
１２８…脱臭兼、湿度を帯びた空気用フィルター
２００…本発明の技術を使用した温水洗浄便座本体
２０２…給水部
２０３…暖房便座
２０４…矢印
２０５…局部洗浄用ノズル
ｔ１…着座開始時間
ｔ２…洗浄開始時間
ｔ３…脱臭、湿度を帯びた空気吸引開始時間
ｔ４…洗浄終了時間
ｔ５…脱臭、湿度を帯びた空気吸引終了時間
ｔ２１…着座開始時間
ｔ２２…洗浄開始時間
ｔ２３…脱臭、湿度を帯びた空気吸引開始時間
ｔ２４…洗浄終了時間
ｔ２５…脱臭、湿度を帯びた空気吸引動作ＯＦＦディレイ開始時間
ｔ２６…脱臭、湿度を帯びた空気吸引終了時間
ｔ２７…脱臭、湿度を帯びた空気吸引ＯＦＦディレイ時間間隔
【図１】
0004682431.tif 000002
【図２】
0004682431.tif 000003
【図３】
0004682431.tif 000004
【図４】
0004682431.tif 000005
【図５】
0004682431.tif 000006
【図６】
0004682431.tif 000007
【図７】
0004682431.tif 000008
【図８】
0004682431.tif 000009
【図９】
0004682431.tif 000010
【図１０】
0004682431.tif 000011